(57)【特許請求の範囲】
【請求項１】
ヘッドを用いてディスクにデータを書き込むことにより、データを記憶するハードディスクドライブと、
電池を格納する電池格納部と、
前記電池の電極に接触し、前記電池より電力の供給を受けるための電池切片と、
前記電池の電極と前記電池切片との接触を維持するためのロック機構と、
前記ロック機構によるロックが解除されることを前記電池格納部から前記電池を排出可能とするための予備操作として検出する検出手段と、
前記検出手段による検出に基づいて、前記ハードディスクドライブの前記ヘッドを、前記ディスクと前記ヘッドが破損することがない安全な位置に退避させる制御手段とを備えることを特徴とする携帯通信端末。
【請求項２】
ヘッドを用いてディスクにデータを書き込むことにより、データを記憶するハードディスクドライブと、
電池を格納する電池格納部と、
前記電池の移動を前記電池格納部からの前記電池の排出動作として検出する検出手段と、
前記検出手段による検出に基づいて、前記ハードディスクドライブの前記ヘッドを、前記ディスクと前記ヘッドが破損することがない安全な位置に退避させる制御手段とを備えることを特徴とする携帯通信端末。
【請求項３】
請求項２に記載の携帯通信端末において、
前記電池の電極に接触し、前記電池より電力の供給を受けるための電池切片と、
前記排出動作時の前記電池の移動量が所定量となるまで、前記電池の電極と前記電池切片との接触を維持するための接触維持手段とをさらに備えることを特徴とする携帯通信端末。
【請求項４】
請求項３に記載の携帯通信端末において、
前記接触維持手段は、前記排出動作時の前記電池の移動量が所定量となるまで、前記電池切片を前記電池の電極に接触させたまま移動させることによって、前記電池の電極と前記電池切片の接触を維持することを特徴とする携帯通信端末。
【請求項５】
請求項２に記載の携帯通信端末において、
前記電池の電極に接触し、前記電池より電力の供給を受けるための電池切片と、
前記排出動作時に、前記電池が前記電池格納部に格納されている状態から前記電池の移動が所定量となるまで、前記電池の電極と前記電池切片との接触を維持するために、前記電池の電極位置の移動を規制する規制手段とをさらに備えることを特徴とする携帯通信端末。
【請求項６】
ヘッドを用いてディスクにデータを書き込むことにより、データを記憶するハードディスクドライブと、
電池を格納する電池格納部と、
前記電池格納部からの前記電池の排出動作を検出する検出手段と、
前記検出手段による検出に基づいて、前記ハードディスクドライブの前記ヘッドを、前記ディスクと前記ヘッドが破損することがない安全な位置に退避させる制御手段と、
前記検出手段によって前記排出動作が検出されたときに前記ハードディスクドライブがデータの書き込み中であった場合には、書き込み処理情報を記録する記録手段と、
前記電池が排出された後であって再度電池が投入された後に、前記記録手段に前記書き込み処理情報が記録されているか否かを判別し、前記書き込み処理情報が記録されている場合には、書き込み中であった前記データの削除処理を前記ハードディスクドライブに実行させる削除手段とを備えることを特徴とする携帯通信端末。
【請求項７】
請求項１〜６のいずれか一項に記載の携帯通信端末において、
画像を撮像する撮像手段をさらに備え、
前記ハードディスクドライブは、前記撮像手段で撮像した画像データを記憶することを特徴とする携帯通信端末。 
【請求項８】
ヘッドを用いてディスクにデータを書き込むことにより、データを記憶するハードディスクドライブと、
電池を格納する電池格納部と、
前記電池の電極に接触し、前記電池より電力の供給を受けるための電池切片と、
前記電池の電極と前記電池切片との接触を維持するためのロック機構と、
前記ロック機構によるロックが解除されることを前記電池格納部から前記電池を排出可能とするための予備操作として検出する検出手段と、
前記検出手段による検出に基づいて、前記ハードディスクドライブの前記ヘッドを、前記ディスクと前記ヘッドが破損することがない安全な位置に退避させる制御手段とを備えることを特徴とする電子機器。
【請求項９】
ヘッドを用いてディスクにデータを書き込むことにより、データを記憶するハードディスクドライブと、
電池を格納する電池格納部と、
前記電池の移動を前記電池格納部からの前記電池の排出動作として検出する検出手段と、
前記検出手段による検出に基づいて、前記ハードディスクドライブの前記ヘッドを、前記ディスクと前記ヘッドが破損することがない安全な位置に退避させる制御手段とを備えることを特徴とする電子機器。
【請求項１０】
ヘッドを用いてディスクにデータを書き込むことにより、データを記憶するハードディスクドライブと、
電池を格納する電池格納部と、
前記電池格納部からの前記電池の排出動作を検出する検出手段と、
前記検出手段による検出に基づいて、前記ハードディスクドライブの前記ヘッドを、前記ディスクと前記ヘッドが破損することがない安全な位置に退避させる制御手段と、
前記検出手段によって前記排出動作が検出されたときに前記ハードディスクドライブがデータの書き込み中であった場合には、書き込み処理情報を記録する記録手段と、
前記電池が排出された後であって再度電池が投入された後に、前記記録手段に前記書き込み処理情報が記録されているか否かを判別し、前記書き込み処理情報が記録されている場合には、書き込み中であった前記データの削除処理を前記ハードディスクドライブに実行させる削除手段とを備えることを特徴とする電子機器。
【発明の詳細な説明】
【技術分野】
【０００１】
本発明は、ハードディスクを搭載した携帯通信端末、および電子機器に関する。
【背景技術】
【０００２】
次のような通信装置が特許文献１によって知られている。この通信装置では、バイブレータ動作とハードディスクへの記録再生動作とを排他的に動作させるために、バイブレータが動作している間は、ハードディスクのヘッドを所定の退避位置に退避させることによって、振動によるハードディスクの故障を防止している。
【０００３】
【特許文献１】特開２００３−１７９６７１号公報
【発明の開示】
【発明が解決しようとする課題】
【０００４】
しかしながら、従来の通信装置においては、バイブレータの動作を開始する前にハードディスクのヘッドを所定の退避位置に退避させるものであるため、発明者はハードディスクの破損を招来する種々の要因を鋭意検討した。その結果、通信装置から電池が外されて通信装置へ電源が供給されなくなった場合にもハードディスクの保護が十分ではないことを見出した。
【課題を解決するための手段】
【０００５】
請求項１に記載の携帯通信端末、および請求項８に記載の電子機器は、ヘッドを用いてディスクにデータを書き込むことにより、データを記憶するハードディスクドライブと、
電池を格納する電池格納部と、電池の電極に接触し、電池より電力の供給を受けるための電池切片と、電池の電極と電池切片との接触を維持するためのロック機構と、ロック機構によるロックが解除されることを電池格納部から電池を排出可能とするための予備操作として検出する検出手段と、検出手段による検出に基づいて、ハードディスクドライブのヘッドを、ディスクとヘッドが破損することがない安全な位置に退避させる制御手段とを備えることを特徴とする。
請求項２に記載の携帯通信端末、および請求項９に記載の電子機器は、ヘッドを用いてディスクにデータを書き込むことにより、データを記憶するハードディスクドライブと、電池を格納する電池格納部と、電池の移動を電池格納部からの電池の排出動作として検出する検出手段と、検出手段による検出に基づいて、ハードディスクドライブのヘッドを、ディスクとヘッドが破損することがない安全な位置に退避させる制御手段とを備えることを特徴とする。
請求項３に記載の発明は、請求項２に記載の携帯通信端末において、電池の電極に接触し、電池より電力の供給を受けるための電池切片と、排出動作時の電池の移動量が所定量となるまで、電池の電極と電池切片との接触を維持するための接触維持手段とをさらに備えることを特徴とする。
請求項４に記載の発明は、請求項３に記載の携帯通信端末において、接触維持手段は、排出動作時の電池の移動量が所定量となるまで、電池切片を電池の電極に接触させたまま移動させることによって、電池の電極と電池切片の接触を維持することを特徴とする。
請求項５に記載の発明は、請求項２に記載の携帯通信端末において、電池の電極に接触し、前記電池より電力の供給を受けるための電池切片と、排出動作時に、電池が電池格納部に格納されている状態から電池の移動が所定量となるまで、電池の電極と電池切片との接触を維持するために、電池の電極位置の移動を規制する規制手段とをさらに備えることを特徴とする。
請求項６に記載の携帯通信端末、および請求項１０に記載の電子機器は、ヘッドを用いてディスクにデータを書き込むことにより、データを記憶するハードディスクドライブと、電池を格納する電池格納部と、電池格納部からの電池の排出動作を検出する検出手段と、検出手段による検出に基づいて、ハードディスクドライブのヘッドを、ディスクとヘッドが破損することがない安全な位置に退避させる制御手段と、検出手段によって排出動作が検出されたときにハードディスクドライブがデータの書き込み中であった場合には、書き込み処理情報を記録する記録手段と、電池が排出された後であって再度電池が投入された後に、記録手段に書き込み処理情報が記録されているか否かを判別し、書き込み処理情報が記録されている場合には、書き込み中であったデータの削除処理をハードディスクドライブに実行させる削除手段を備えることを特徴とする。
請求項７に記載の発明は、請求項１〜６のいずれか一項に記載の携帯通信端末において、画像を撮像する撮像手段をさらに備え、ハードディスクドライブは、撮像手段で撮像した画像データを記憶することを特徴とする。
【発明の効果】
【０００６】
本発明によれば、使用者による電池の排出動作が検出された場合に、ハードディスクドライブのヘッドを、ディスクとヘッドが破損することがない安全な位置に退避するようにしたので、ハードディスクドライブに電源が供給されなくなる前にハードディスクドライブを保護して、ハードディスクドライブの故障を防止することができる。
【発明を実施するための最良の形態】
【０００７】
−第１の実施の形態−
図１は、第１の実施の形態における携帯通信端末を携帯電話に適用した場合の一実施の形態を示すブロック図である。携帯電話１００は、カメラ１０１と、電池ボックス１０２と、電池ボックス蓋開検出スイッチ１０３と、ＣＰＵ１０４と、ＨＤＤ（ハードディスクドライブ）１０５と、通信装置１０６と、メモリ１０７と、ＬＣＤ１０８とを備えている。
【０００８】
カメラ１０１は、レンズとＣＣＤなどの撮像素子とで構成され、レンズを通して入力される被写体像を撮像して、撮像した画像データをＣＰＵ１０４へ出力する。電池ボックス１０２は携帯電話１００を駆動するための電源を供給するための電池（バッテリー）１０２ａを格納するために設けられた格納スペースであり、電池１０２ａを電池ボックス１０２内に保持するための蓋が設置されている。
【０００９】
電池ボックス蓋開検出スイッチ１０３は、電池ボックス１０２の蓋が開けられたことを検出するためのスイッチであり、電池ボックス１０２の蓋が開けられたことを検出するとその検出信号をＣＰＵ１０４へ出力する。ＨＤＤ１０５は、ヘッドを用いてディスクにデータを書き込むことによりデータを記憶する一般的なハードディスクドライブである。ＨＤＤ１０５は、不図示の磁気ヘッドとディスクを有している。ディスクには磁性体が塗布されている。ＨＤＤ１０５の磁気ヘッドは電磁誘導によりディスクにデータを書き込むことができる。また、磁気ヘッドはディスクに書き込まれたデータを読み取ることができる。通信装置１０６は、アンテナ１０６ａを備え、携帯電話会社の基地局と通信する。
【００１０】
図２は、第１の実施の形態における携帯電話１００の外部構造を模式的に示した図である。図２に示すように、携帯電話１００は側面に電池ボックス１０２の電池投入口を備え、電池１０２ａを携帯電話の側面から携帯電話１００の内部に向けて投入する構造となっている。この電池ボックス１０２には上述した蓋２ａが設置されている。この蓋２ａによって電池１０２ａが電池ボックス１０２内部へ押され、電池１０２ａの電極と、電池ボックス１０２内に設置されている電池切片との接触が維持される。
【００１１】
なお、電池ボックス１０２内に設置される電池切片には弾性体が使用され、電池１０２ａが電池ボックス１０２内に挿入され、電池１０２ａが完全に電池ボックス１０２に格納される所定量手前から、電池１０２ａの電極と電池切片とが接触するようになっている。したがって、逆に電池１０２ａが電池ボックス１０２から排出される場合には、電池１０２ａの排出量が所定量となるまで、電池１０２ａの電極と電池切片との接触が維持されることになる。また、使用者によって蓋２ａが開けられると、この電池切片の弾性力により、電池１０２ａは電池ボックス１０２から飛び出すように排出される。
【００１２】
電池ボックス蓋開検出スイッチ１０３は、図２に示す蓋２ａの回転軸部、または蓋２ａを閉じたときに携帯電話１００の本体と勘合するロック部に搭載され、これらの状態を検出することによって、蓋２ａが開けられたことを検出する。
【００１３】
ＣＰＵ１０４は、カメラ１０１から入力される画像データをＨＤＤ１０５へ書き込む。このときＣＰＵ１０４は、後述するように、電池ボックス蓋開検出スイッチ１０３からの出力信号に基づいて、ＨＤＤ１０５へのアクセスを制御する。
【００１４】
この携帯電話１００においては、電池ボックス１０２に格納された電池１０２ａを使用者が任意に排出（取り出し）または投入することができる。使用者によって電池ボックス１０２から電池１０２ａが排出されると、その時点で携帯電話１００への電源の供給が停止することになる。本実施の形態における携帯電話１００は、上述したようにＨＤＤ１０５を内蔵しており、ＨＤＤ１０５は、データの読み込みまたは書き込み時、すなわちＨＤＤ１０５のヘッドがディスクにアクセスしている時に電源の供給が停止すると故障する可能性がある。このため、電池１０２ａの排出に伴う電源供給の停止時にＨＤＤ１０５を制御して、ＨＤＤ１０５の故障を防止する必要がある。
【００１５】
このために、ＣＰＵ１０４は、以下に説明するように、電池ボックス蓋開検出スイッチ１０３からの出力信号に基づいて、使用者による電池ボックス１０２からの電池１０２ａの排出動作を検出した場合には、携帯電話１００への電源の供給が停止する前にあらかじめＨＤＤ１０５へのデータの読み込みおよび書き込みを停止して、ＨＤＤ１０５のヘッドをヘッドとディスクが故障することのない安全な位置に退避する。これによって、使用者による電池１０２ａの排出によって携帯電話１００への電源の供給が停止する時点においては、すでにＨＤＤ１０５のヘッドが退避された状態になっているため、ＨＤＤ１０５を保護してハードディスクの故障を防止することができる。
【００１６】
なお、ヘッドとディスクが故障することのない安全な位置とは、ヘッドとディスクが接触することのない位置を意味する。したがって、ヘッドをヘッドとディスクが故障することのない安全な位置に移動するに当たっては、ヘッドをディスクに対して水平方向に移動させることによって、ディスクの領域外に退避するようにしてもよく、あるいはヘッドをディスクに対して垂直方向に移動させて、ディスクとの距離を離すように退避してもよい。
【００１７】
ＣＰＵ１０４は、具体的には次のように処理する。ＣＰＵ１０４は、電池ボックス蓋開検出スイッチ１０３からの出力信号に基づいて、電池ボックス１０２の蓋が開けられたことを検出したときに、使用者による電池ボックス１０２からの電池１０２ａの排出動作が行われたことを検出する。すなわち、上述したように、電池１０２ａは、電池ボックス１０２の蓋で押されることによって、電池１０２ａの電極と電池切片との接触が維持されていることから、使用者によって蓋が開けられることによって、電池１０２ａの電極と電池切片との接触が維持できなくなる。このため、ＣＰＵ１０４は、使用者が電池１０２ａを排出するための予備操作として電池ボックス１０２の蓋を開けたことを検出したときに、使用者による電池１０２ａの排出動作が行われたことを検出する。
【００１８】
そして、ＣＰＵ１０４は、このように使用者による電池１０２ａの排出動作が行われたことを検出した場合には、ＨＤＤ１０５のデータ書き込みおよび読み出しを禁止する。すなわち、カメラ１０１から入力される画像データのＨＤＤ１０５への書き込みまたは読み出しを停止した後、ＨＤＤ１０５のヘッドをヘッドとディスクが故障することのない安全な位置に退避する。
【００１９】
上述したように、電池切片には弾性体が使用され、電池１０２ａが電池ボックス１０２に格納されている状態からの排出量が所定量となるまで、電池１０２ａの電極と電池切片との接触が維持されるため、ＣＰＵ１０４が使用者による電池１０２ａの排出動作を検出してから所定時間の間は、電池１０２ａの電極と電池切片との接触が維持されることになる。このため、ＣＰＵ１０４は、この電池１０２ａの電極と電池切片との接触が維持される時間を利用してＨＤＤ１０５のヘッドを退避することができ、電源の供給が終了するまでにＨＤＤ１０５のヘッドの退避を完了することができる。
【００２０】
また、ＣＰＵ１０４は、ＨＤＤ１０５のヘッドを退避する際に、ＨＤＤ１０５へ画像データの書き込みを行っている場合には、上述したように、あらかじめ画像データの書き込みを停止するが、このときに、ＨＤＤ１０５内、またはメモリ１０７に画像データを書き込み中であったことを示す書き込み処理情報を記録する。そして、ＣＰＵ１０４は、その後電池ボックス１０２に電池１０２ａが再投入された場合には、書き込み処理情報が記録されているか否かを判別し、書き込み処理情報が記録されている場合には、その旨をＬＣＤ１０８に表示して使用者に報知する。
【００２１】
あるいは、ＣＰＵ１０４は、電池再投入時にＨＤＤ１０５内またはメモリ１０７に書き込み処理情報が記録されていることを判別した場合には、以下のようにＨＤＤ１０５のチェック処理（スキャンディスク）、およびＨＤＤ１０５に書き込みであったデータの削除処理をＨＤＤ１０５に実行させてもよい。
【００２２】
具体的には、ＣＰＵ１０４は、まず使用者に対して公知のスキャンディスク処理を実行する旨のメッセージを所定時間ＬＣＤ１０８に表示する。その後、ＨＤＤ１０５のディスクエラーをチェックするためのスキャンディスクを実行して、ＨＤＤ１０５にディスクエラーが発生しているか否かを検出する。その結果、ディスクエラーが発生していることを検出した場合には、その旨を使用者に報知する。
【００２３】
一方、ＨＤＤ１０５にディスクエラーが発生していないと判断した場合には、ＨＤＤ１０５に、電池排出前に書き込み中であったデータ、すなわち不良データが存在するか否かを判定し、不良データが存在すると判断した場合には、当該不良データをＨＤＤ１０５から削除する。この場合、ＨＤＤ１０５に書き込みであった不良データそのものを削除するようにしてもよく、あるいはＨＤＤ１０５のデータ管理領域から、書き込み中であった不良データに対応するデータの管理情報のみを削除するようにしてもよい。
【００２４】
図３は、第１の実施の形態における携帯電話１００の処理を示すフローチャートである。図３に示す処理は、電池ボックス１０２に電池１０２ａが投入されて携帯電話１００の電源がオンされると起動するプログラムとして、ＣＰＵ１０４により実行される。
【００２５】
ステップＳ１０において、携帯電話１００を動作可能にするために携帯電話システムを起動して、ステップＳ２０へ進む。ステップＳ２０では、ＨＤＤ１０５またはメモリ１０７に、上述した書き込み処理情報が記録されているか否かを判断する。書き込み処理情報が記録されていないと判断した場合には、後述するステップＳ１３０へ進む。これに対して、書き込み処理情報が記録されていると判断した場合には、ステップＳ３０へ進む。
【００２６】
ステップＳ３０では、ＬＣＤ１０８にスキャンディスクの開始を示すメッセージとして、例えば「スキャンディスクを開始します」を表示して、ステップＳ４０へ進む。ステップＳ４０では、ＬＣＤ１０８に所定時間メッセージを表示したか否かを判断し、所定時間メッセージを表示したと判断した場合には、ステップＳ５０へ進む。ステップＳ５０では、ＨＤＤ１０５のディスクエラーをチェックするための公知のスキャンディスク処理を実行して、ステップＳ６０へ進む。
【００２７】
ステップＳ６０では、スキャンディスク処理中にディスクエラーが発見され、処理にエラーが発生したか否かを判断する。エラーが発生したと判断した場合には、ステップＳ７０へ進み、ＬＣＤ１０８にディスクエラーが発生したことを示すメッセージとして、例えば「ディスクエラー発生」を表示して、ステップＳ８０へ進む。ステップＳ８０では、ＬＣＤ１０８にメッセージを所定時間表示したか否かを判断し、所定時間表示したと判断した場合には、後述するステップＳ１３０へ進む。
【００２８】
これに対して、ステップＳ６０でエラーが発生していないと判断した場合には、ステップＳ９０へ進む。ステップＳ９０では、ＨＤＤ１０５内の全セクタに対してスキャンディスクが完了したか否かを判断する。全セクタに対するスキャンディスクが完了したと判断した場合にはステップＳ１００へ進み、スキャンディスクの結果、ＨＤＤ１０５内に不良データが存在するか否かを判断する。不良データが存在しないと判断した場合には、後述するステップＳ１３０へ進む。
【００２９】
これに対して、不良データが存在すると判断した場合には、ステップＳ１１０へ進む。ステップＳ１１０では、ＨＤＤ１０５内に存在する不良データを削除してステップＳ１２０へ進み、ＬＣＤ１０８に不良データの削除完了を示すメッセージとして、例えば「不良データを削除しました」を表示して、ステップＳ１３０へ進む。
【００３０】
ステップＳ１３０では、電池ボックス蓋開検出スイッチ１０３からの出力信号に基づいて、電池ボックス１０２からの電池１０２ａの排出動作を検出したか否かを判断する。電池１０２ａの排出動作を検出したと判断した場合には、ステップＳ１４０へ進む。ステップＳ１４０では、ＨＤＤ１０５のヘッドが、ヘッドとディスクが故障することのない安全な位置に退避されているか否かを判断する。ヘッドが退避済みであると判断した場合には、処理を終了する。これに対してヘッドが退避済みでないと判断した場合には、ステップＳ１５０へ進む。
【００３１】
ステップＳ１５０では、ＨＤＤ１０５のヘッドをヘッドとディスクが故障することのない安全な位置に退避して、ステップＳ１６０へ進む。ステップＳ１６０では、ヘッドの退避が完了したか否かを判断する。ヘッドの退避が完了したと判断した場合にはステップＳ１７０へ進み、ヘッドの退避時にＨＤＤ１０５にデータを書き込み中であったか否かを判断する。データを書き込み中であったと判断した場合にはステップＳ１８０へ進み、メモリ１０７に上述した書き込み処理情報を記録して処理を終了する。これに対して、データを書き込み中ではないと判断した場合には、そのまま処理を終了する。
【００３２】
以上説明した第１の実施の形態によれば、以下のような作用効果を得ることができる。
（１）電池ボックス１０２からの電池排出動作が検出された場合に、電池１０２ａからの電力の供給が停止する前に、ＨＤＤ１０５へのデータの書き込みを停止して、ＨＤＤ１０５のヘッドをヘッドとディスクが故障することのない安全な位置に退避するようにした。これによって、データ書き込み中にＨＤＤ１０５に電力が供給されなくなることに起因するＨＤＤ１０５の故障を防止することができる。
【００３３】
（２）電池ボックス１０２の蓋２ａが開けられたことを検出することをもって、使用者による電池１０２ａの排出動作が行われたことを検出して、ＨＤＤ１０５のヘッドを退避するようにした。使用者は電池ボックス１０２から電池１０２ａを排出する予備動作として、必ず蓋２ａを開けることを加味して、使用者による電池排出動作を早い時点で検出することができる。
【００３４】
（３）また、電池切片には弾性体が使用され、電池１０２ａの排出量が所定量となるまで電池１０２ａの電極と電池切片との接触が維持されるため、ＣＰＵ１０４が使用者による電池１０２ａの排出動作を検出してから所定時間の間は、電池１０２ａの電極と電池切片との接触が維持されることになる。よって、ＣＰＵ１０４は、電池ボックス１０２の蓋２ａが開けられた後の電池１０２ａの電極と電池切片との接触が維持される時間を利用して、安全にＨＤＤ１０５のヘッドの退避を完了することができる。
【００３５】
（４）ＨＤＤ１０５のヘッドを退避する際に、ＨＤＤ１０５へ画像データの書き込みを行っている場合には、メモリ１０７に書き込み処理情報を記録しておき、その後電池ボックス１０２に電池１０２ａが再投入された場合に書き込み処理情報が記録されている場合には、その旨をＬＣＤ１０８に表示して使用者に報知するようにした。これによって、使用者は電池排出前にＨＤＤ１０５がデータ書き込み中であったことを知ることができる。
【００３６】
（５）また、電池再投入時にＨＤＤ１０５内またはメモリ１０７に書き込み処理情報が記録されていることを判別した場合には、ＨＤＤ１０５のチェック処理（スキャンディスク）、およびＨＤＤ１０５に書き込みであったデータの削除処理を実行するようにした。これによって、ＨＤＤ１０５の書き込み中に電源の供給が停止したことに起因するＨＤＤ１０５の不具合を的確に検出することができ、さらに書き込み中であった不良データがハードディスク資源を浪費することを防止することができる。
【００３７】
−第２の実施の形態−
上述した第１の実施の形態では、電池ボックス１０２内に電池１０２ａを格納して保持するための蓋２ａを備え、ＣＰＵ１０４は、電池ボックス蓋開検出スイッチ１０３からの出力に基づいて、電池ボックス１０２の蓋２ａが開けられたことを検出した場合に、使用者による電池１０２ａの排出動作が行われたことを検出するようにした。これに対して第２の実施の形態では、図４に示すように、電池ボックス１０２内に電池１０２ａを格納して保持するためのロック部材４ａを備え、使用者によってこのロック部材４ａが解除されたときに、電池１０２ａの排出動作が行われたことを検出する場合について説明する。
【００３８】
なお、第２の実施の形態においては、図３に示した携帯電話１００の処理を示すフローチャートについては、第１の実施の形態と同様のため、説明を省略する。
【００３９】
ロック部材４ａは、電池１０２ａが電池ボックス１０２に格納されているときは、電池ボックス１０２の入り口側から電池１０２ａを押さえる役割を果たし、使用者がこのロック部材４ａをスライドさせることによってロックを解除すると電池１０２ａが電池ボックス１０２から排出される。このとき、第１の実施の形態と同様に、電池切片には弾性体が使用されており、使用者によってロック部材４ａが解除されると、電池１０２ａの排出量が所定量となるまで電池１０２ａの電極と電池切片との接触が維持される。そして、電池切片の弾性力により電池１０２ａは電池ボックス１０２から飛び出すように排出される。
【００４０】
図５は、第２の実施の形態における携帯電話の一実施の形態を示すブロック図である。なお、図５においては、図１に示す第１の実施の形態と同一の構成要素に対しては同一の符号を付与して相違点を中心に説明する。携帯電話１００は、上述したロック部材４ａが解除されたことを検出するロック解除検出スイッチ１０９を備えている。
【００４１】
ロック解除検出スイッチ１０９は、ロック部材４ａがスライドされて解除されたことを検出するとその検出信号をＣＰＵ１０４へ出力する。図６は、ロック解除検出スイッチ１０９によってロック部材４ａの解除を検出する原理を模式的に示した図である。図６に示すように、ロック部材４ａが電池１０２ａのロックを解除する方向にスライドされると、ロック部材４ａによって押下されて、ロック解除検出スイッチ１０９はオンの状態となる。
【００４２】
なお、図６に示す例では、ロック解除検出スイッチ１０９は直接ＨＤＤ１０５に接続されているため、ロック解除検出スイッチ１０９がオンされるとＨＤＤ１０５に対して直接ヘッドを退避するための制御信号を送ることができる例を示している。しかし本実施の形態では、上述したように、ロック解除検出スイッチ１０９がオンされた場合には、その信号をＣＰＵ１０４へ出力し、ＣＰＵ１０４によってＨＤＤ１０５のヘッド退避を制御する方法について説明する。
【００４３】
ＣＰＵ１０４は、ロック解除検出スイッチ１０９からの出力に基づいて、ロック部材４ａが解除されたことを検出すると、使用者によって電池１０２ａを排出するための予備操作が行われたと判定し、使用者によって電池１０２ａの排出動作が行われたことを検出する。そして、使用者によって電池１０２ａの排出動作が行われたことを検出した場合には、第１の実施の形態と同様に、カメラ１０１から入力される画像データのＨＤＤ１０５への書き込みまたは読み出しを停止した後、ＨＤＤ１０５のヘッドをヘッドとディスクが故障することのない安全な位置に退避する。
【００４４】
以上説明した第２の実施の形態によれば、第１の実施の形態における作用効果に加えて、次のような効果を得ることができる。すなわち、使用者によってロック部材４ａが解除されたことを検出した場合に、使用者による電池排出動作を検出するようにした。これによって、電池ボックス１０２にロック部材４ａを備える場合には、使用者は電池１０２ａを排出する予備動作として必ずロック部材４ａを解除することを加味して、使用者による電池排出動作を早い時点で検出することができる。
【００４５】
なお、第２の実施の形態の装置においては、電池１０２ａが電池ボックス１０２と蓋２ａとにより完全に収納される例を示したが、これに限られるものではない。例えば、電池１０２ａが蓋２ａと一体構造になっているような構成であってもよい。この場合、電池１０２ａが取り外されると、電池ボックス１０２の電池切片は外部に対してむき出しの状態となる。そして電池１０２ａが電池ボックス１０２に取り付けられると、電池１０２ａの電極と電池切片とが電気的に接続される。このとき電池１０２ａの表面の一部が携帯電話１００の外部カバーの一部の役割を果たす。すなわち、電池１０２ａの表面の一部が外部に露出した状態となる。そして電池１０２ａが電池ボックス１０２に取り付けられた状態で、使用者がロック部材４ａにより電池１０２ａをロックするような構成であればよい。
【００４６】
−第３の実施の形態−
上述した第１および第２の実施の形態では、使用者による電池１０２ａを排出するための予備動作を電池排出動作として検出する例について説明した。これに対して、第３の実施の形態では、使用者によって電池ボックス１０２からの電池１０２ａの排出がなされ、それに伴う電池１０２ａの移動を検出した場合に使用者による電池排出動作を検出する場合の処理について説明する。なお、図３に示した携帯電話１００の処理を示すフローチャートについては、第１の実施の形態と同様のため、説明を省略する。
【００４７】
図７は、第３の実施の形態における携帯通信端末を携帯電話に適用した場合の一実施の形態を示すブロック図である。なお、図７においては、図１に示す第１の実施の形態と同一の構成要素に対しては同一の符号を付与して相違点を中心に説明する。携帯電話１００は、電池１０２ａの排出に伴う電池１０２ａの移動を検出して、使用者による電池排出動作を検出する電池排出検出スイッチ１１０を備えている。
【００４８】
電池排出検出スイッチ１１０による電池排出動作の検出原理を図８および図９を用いて説明する。電池排出検出スイッチ１１０は、図８に示すように、電池ボックス１０２内の電池切片８ａ〜８ｃのいずれかによって押下されるように設置される。図８に示す例では電池排出検出スイッチ１１０は電池切片８ｃに設けられた凸部８ｄによって押下されるように設置された場合を示している。
【００４９】
図９（ａ）は、電池ボックス１０２内に電池１０２ａが投入されているときの電池排出検出スイッチ１１０の状態を示す図である。この場合には、電池１０２ａの電極によって電池切片８ｃが押し込まれることにより、電池切片８ｃの凸部８ｄと電池排出検出スイッチ１１０とが接触する。このように、凸部８ｄと電池排出検出スイッチ１１０とが接触している間は、電池排出検出スイッチ１１０はオンされている状態となり、信号をＣＰＵ１０４へ出力する。
【００５０】
図９（ｂ）は、電池ボックス１０２から電池１０２ａが排出される過程を示す図である。電池切片８ｃは、電池１０２ａに向けて付勢力が働く板バネの機能がある。そのため、電池１０２ａの排出が始まり所定量移動する間は、電池１０２ａの電極と電池切片８ｃとの電気的な接続が維持される。そして、電池１０２ａが電極と電池切片８ｃとの電気的な接続が切断される前に、図９（ｂ）に示されるように、電池排出検出スイッチ１１０と電池切片８ｃの凸部８ｄとが離れる。このとき、電池排出検出スイッチ１１０はオフされ、ＣＰＵ１０４への信号出力が停止する。
【００５１】
電池排出検出スイッチ１１０と電池切片８ｃの凸部８ｄとが離れた時点では、まだ電池１０２ａの電極と電池切片８ｃとの電気的な接続が維持されている。このため、ＣＰＵ１０４は、電池１０２ａからの電力の供給を受けている状態で、電池１０２ａの排出動作を検出することができる。そして、使用者による電池１０２ａの排出動作を検出した場合には、カメラ１０１から入力される画像データのＨＤＤ１０５への書き込みまたは読み出しを停止した後、ＨＤＤ１０５のヘッドをヘッドとディスクが故障することのない安全な位置に退避する。
【００５２】
上述の構成により、電池切片８ｃの凸部８ｄと電池排出検出スイッチ１１０とが離れた後も所定時間は携帯電話１００の各回路に電力が供給される。したがって、ＣＰＵ１０４は、使用者による電池１０２ａの排出動作を検出した後、この電池１０２ａの電極と電池切片８ｃとの接触が維持される時間を利用してＨＤＤ１０５のヘッドを退避することができ、電源の供給が終了するまでにＨＤＤ１０５のヘッドの退避を完了することができる。
【００５３】
以上説明した第３の実施の形態によれば、第１の実施の形態における作用効果に加えて次のような作用効果を得ることができる。すなわち、電池１０２ａの排出に伴う電池１０２ａの移動を検出して、使用者による電池排出動作を検出するようにしたため、実際に電池１０２ａが排出されることを検出した場合にのみハードディスクのヘッドを退避することができる。
【００５４】
−第４の実施の形態−
第３の実施の形態では、電池ボックス１０２は携帯電話の側面に電池１０２ａの投入口を有し、電池１０２ａを携帯電話の側面から内部へ向けて投入する構造であるときに、電池１０２ａの移動を検出して使用者による電池排出動作を検出する場合について説明した。これに対して第４の実施の形態では、電池ボックス１０２を携帯電話の底面または側面に設け、電池１０２ａを電池ボックス１０２にはめ込む構造とした場合に、電池１０２ａの移動を検出して使用者による電池排出動作を検出する処理について説明する。
【００５５】
なお、図３に示した携帯電話１００の処理を示すフローチャートについては、第１の実施の形態と同様のため説明を省略し、図７に示したブロック図については、第３の実施の形態と同様のため説明を省略する。
【００５６】
本実施の形態における電池ボックス１０２の具体例を図１０に示す。この図１０は、電池ボックス１０２の投入口（はめ込み口）を上向きにして携帯電話１００を置いた場合を示している。この場合、電池１０２ａは、その向きが携帯電話１００と水平となるように電池ボックス１０２に投入される。そして、電池ボックス１０２の一方の側面には弾性体で構成される電池切片８ｃが設置され、もう一方の側面は電池１０２ａを電池ボックス内に保持するための壁面１０ｂとなっている。
【００５７】
電池切片８ｃは、第３の実施の形態と同様に凸部８ｄを有し、電池１０２ａが挿入されて電池切片８ｃが押されると、当該凸部８ｄによって電池排出検出スイッチ１１０がオンされる構造となっている。また、電池ボックス１０２には、後述するように使用者が電池１０２ａを取り外すために上方へ引き上げたときに、電池１０２ａの電極の電池切片８ｃと接触する位置からの移動量を規制するストッパー１０ａが設置されている。
【００５８】
このストッパー１０ａがない場合には、使用者が電池１０２ａを上方に外すと、すぐに電池１０２ａの電極と電池切片８ｄとの接触が解除されて電源が供給されなくなることから、上述した第３の実施の形態のように、ＣＰＵ１０４が電池１０２ａの移動を検出してからＨＤＤ１０５のヘッドを退避するための時間を確保することができない。
【００５９】
これに対して本実施の形態では、このストッパー１０ａを設けることによって、使用者は、電池ボックス１０２から電池１０２ａを取り外すときは、電池１０２ａの電池切片８ｃから遠い位置を把持して上方向へ持ち上げることになる。すなわち、電池１０２ａは、電極を支点として他端が持ち上げられることになり、使用者による電池１０２ａの排出動作に伴う電池１０２ａの電極位置の移動を制限することができる。
【００６０】
また、電池切片８ｃには上述したように弾性体が用いられているため、電池１０２ａの電極位置の移動が制限され、電池１０２ａの排出に伴って電極が微小な動きしかしない場合には、その間は電池１０２ａの電極と電池切片８ｃとの接触を維持することができる。これによって、排出動作に伴って電池１０２ａの移動が開始してから一定時間の間は、電池１０２ａの電極と電池切片８ｃとは接触したままの状態を保つことができる。
【００６１】
これにより、ＣＰＵ１０４が電池排出検出スイッチ１１０からの出力に基づいて電池１０２ａの移動を検出した後も、一定時間は携帯電話１００に電力が供給されるようになり、ＣＰＵ１０４はこの間にＨＤＤ１０５のヘッドを退避することができる。すなわち、ＣＰＵ１０４は電源の供給が終了するまでにＨＤＤ１０５のヘッドの退避を安全に完了することができる。
【００６２】
以上説明した第４の実施の形態によれば、上述した第３の実施の形態における作用効果に加えて、次のような効果を得ることができる。すなわち、電池ボックス１０２を携帯電話の底面または側面に設け、電池１０２ａを電池ボックス１０２にはめ込む構造とした場合に、電池ボックス１０２には、電池１０２ａの電極の位置の電池切片８ｃと接触する位置からの移動量を制限するストッパー１０ａを設置するようにした。これによって、使用者による電池１０２ａの排出動作に伴って電池１０２ａの移動が開始してから一定時間の間は、電池１０２ａの電極と電池切片８ｃとは接触したままの状態を保つことができ、ＣＰＵ１０４はこの間にＨＤＤ１０５のヘッドを安全に退避することができる。
【００６３】
−第５の実施の形態−
第４の実施の形態では、電池ボックス１０２を携帯電話の底面または側面に設け、電池１０２ａを電池ボックス１０２にはめ込む構造とした場合に、電池ボックス１０２に電池１０２ａが挿入されたときに、電池排出検出スイッチ１１０を電池切片８ｃの凸部８ｄによってオンされるように設置する例について説明した。そして、この電池排出検出スイッチ１１０の出力信号をＣＰＵ１０４に出力して、ＣＰＵ１０４によりＨＤＤ１０５のヘッドを制御するようにした。
【００６４】
これに対して第５の実施の形態では、図１１に示すように、電池ボックス１０２内の電池切片８ｃの反対側の壁面１０ｂにＨＤＤ１０５の電池排出検出スイッチ１１０を設置し、電池排出検出スイッチ１１０からの出力信号をＨＤＤ１０５へ出力する例について説明する。なお、図７に示したブロック図については、第３の実施の形態と同様のため説明を省略する。
【００６５】
この実施の形態では、電池１０２ａが電池ボックス１０２内に入っているときには、電池１０２ａによって電池排出検出スイッチ１１０が押下されることによってオンされ、電池１０２ａが排出されたときにはオフされるようにする。そして、ＨＤＤ１０５は、電池排出検出スイッチ１１０がオフされたことを検出した場合には、画像データの書き込みを停止した後、ヘッドをヘッドとディスクが故障することのない安全な位置に退避する。
【００６６】
なお、上述した第４の実施の形態と同様に、電池ボックス１０２には、使用者が電池１０２ａを取り外すために上方へ引き上げたときに、電池１０２ａの電極の位置電池切片８ｃと接触する位置からの移動量を制限するストッパー１０ａが設置されている。これによって、ＨＤＤ１０５が電池１０２ａの排出を検出してヘッドの退避を開始してからも、所定時間の間はＨＤＤ１０５に電源が供給されることから、ＨＤＤ１０５はその間にヘッドの退避を完了することができる。
【００６７】
以上説明した第５の実施の形態によれば、電池排出検出スイッチ１１０からの出力を直接ＨＤＤ１０５に出力して、ＨＤＤ１０５自体がヘッド退避の制御をするようにした。このためＣＰＵ１０４の処理の負荷を低減することができる。
【００６８】
―変形例―
なお、上述した第１〜第５の実施の形態の携帯通信端末は、以下のように変形することもできる。
（１）上述した第１〜第３の実施の形態では、電池切片８ｃに弾性体を用いることで、電池１０２ａの排出動作が検出されてからＨＤＤ１０５のヘッドを退避するまでの間の電源供給を維持するようにし、第４および第５の実施の形態では、電池ボックス１０２にストッパー１０ａを設置することで電池１０２ａの排出動作が検出されてからＨＤＤ１０５のヘッドを退避するまでの間の電源供給を維持するようにした。しかしこれに限定されず、例えば、電池１０２ａの排出動作が検出されてからＨＤＤ１０５のヘッドを退避するまでの間、一時的に電源を供給するコンデンサー（キャパシタ）を備えるようにしてもよい。
【００６９】
図１２は、第１の実施の形態で上述した携帯電話１００にコンデンサーを搭載した場合のブロック図である。図１２において、電池ボックス１０２から電源が供給されている間は、コンデンサー１１１に蓄電し、電池ボックス１０２から電源が供給されなくなった時点で、コンデンサー１１１からの電源供給に切り替えればよい。
【００７０】
（２）上述した第１〜第５の実施の形態では、ＨＤＤ１０５へカメラ１０１で撮像した画像データを記憶する例について説明した。しかしこれに限定されず、通信装置１０６を介してダウンロードしたデータや、使用者によって入力されたデータをＨＤＤ１０５へ記憶する場合にも本発明は適用可能である。
【００７１】
（３）上述した実施の形態では、携帯通信端末を携帯電話に適用した例について説明したが、これに限定されず、デジタルカメラやＰＤＡなどの他の通信機能を備える携帯機器に適用することも可能である。
【００７２】
なお、本発明の特徴的な機能を損なわない限り、本発明は、上述した実施の形態における構成に何ら限定されない。
【図面の簡単な説明】
【００７３】
【図１】第１の実施の形態における携帯通信端末を携帯電話に適用した場合の一実施の形態を示すブロック図である。
【図２】第１の実施の形態における携帯電話１００の外部構造を模式的に示した図である。
【図３】第１の実施の形態における携帯電話１００の処理を示すフローチャート図である。
【図４】第２の実施の形態における携帯電話１００の外部構造を模式的に示した図である。
【図５】第２の実施の形態における携帯電話の一実施の形態を示すブロック図である。
【図６】ロック解除検出スイッチ１０９によってロック部材４ａの解除を検出する原理を模式的に示した図である。
【図７】第３の実施の形態における携帯電話の一実施の形態を示すブロック図である。
【図８】第３の実施の形態における電池排出検出スイッチ１１０の設置例を示す図である。
【図９】第３の実施の形態における電池排出検出スイッチ１１０による電子排出動作検出の原理を具体的に示す図である。
【図１０】第４の実施の形態における電池ボックス１０２の具体例を示す図である。
【図１１】第５の実施の形態における電池排出検出スイッチ１１０の具体例を示す図である。
【図１２】変形例における携帯電話１００にコンデンサーを搭載した場合のブロック図である。
【符号の説明】
【００７４】
１００  携帯電話、１０１  カメラ、１０２  電池ボックス、１０２ａ  電池、１０３  電池ボックス蓋開検出スイッチ、１０４  ＣＰＵ、１０５  ＨＤＤ、１０６  通信装置、１０７  メモリ、１０８  ＬＣＤ、１０９  ロック解除検出スイッチ、１１０  電池排出検出スイッチ、１１１  コンデンサー
【図１】
0004407626.tif 000002
【図２】
0004407626.tif 000003
【図３】
0004407626.tif 000004
【図４】
0004407626.tif 000005
【図５】
0004407626.tif 000006
【図６】
0004407626.tif 000007
【図７】
0004407626.tif 000008
【図８】
0004407626.tif 000009
【図９】
0004407626.tif 000010
【図１０】
0004407626.tif 000011
【図１１】
0004407626.tif 000012
【図１２】
0004407626.tif 000013